(57)【特許請求の範囲】
【請求項１】
内容物が充填されるポンプ本体部と、該ポンプ本体部の上端側から突出するステム部と、該ステム部でのポンプ本体部側への押し込みにより内容物を噴出する押圧部とを備え、この押圧部の少なくとも一部に、前記ステム部の外周面から径方向に突出し、前記押圧部の押し込みにより前記ポンプ本体部に対して接近又は離間する突出領域を有するポンプ容器を収容する包装用箱であって、
前記ポンプ容器を包囲する側壁となる側壁部と、
該側壁部から延在し、側壁の一方の開口部を塞ぐ上壁となる上壁部と、
前記側壁部から延在し、側壁の他方の開口部を塞ぐ下壁となる下壁部と、
前記側壁部から延在し、ポンプ容器を収容した状態で、先端縁が前記突出領域に係止する係止片とを備え、
前記側壁において、前記係止片の延在位置と、前記上壁部の延在位置とが対面することを特徴とする包装用箱。
【請求項２】
内容物が充填されるポンプ本体部と、該ポンプ本体部の上端側から突出するステム部と、該ステム部でのポンプ本体部側への押し込みにより内容物を噴出する押圧部とを備え、
この押圧部の少なくとも一部に、前記ステム部の外周面から径方向に突出し、前記押圧部の押し込みにより前記ポンプ本体部に対して接近又は離間する突出領域を有するポンプ容器を収容する包装用箱であって、
前記ポンプ容器を包囲する側壁となる側壁部と、
該側壁部から延在し、側壁の一方の開口部を塞ぐ上壁となる上壁部と、
前記側壁部から延在し、側壁の他方の開口部を塞ぐ下壁となる下壁部と、
前記側壁部から延在し、ポンプ容器を収容した状態で、先端縁が前記突出領域に係止する係止片とを備え、
前記係止片は、延在方向と直交する方向に延びる第一谷折り線、及び当該第一谷折り線よりも係止片の先端側に設けられた第二谷折り線を有し、第一谷折り線から係止片の先端縁までの長さ寸法が、第一谷折り線から係止片の基端縁までの長さ寸法よりも大きいことを特徴とする包装用箱。
【請求項３】
内容物が充填されるポンプ本体部と、該ポンプ本体部の上端側から突出するステム部と、該ステム部でのポンプ本体部側への押し込みにより内容物を噴出する押圧部とを備え、
この押圧部の少なくとも一部に、前記ステム部の外周面から径方向に突出し、前記押圧部の押し込みにより前記ポンプ本体部に対して接近又は離間する突出領域を有するポンプ容器を収容する包装用箱であって、
前記ポンプ容器を包囲する側壁となる側壁部と、
該側壁部から延在し、側壁の一方の開口部を塞ぐ上壁となる上壁部と、
前記側壁部から延在し、側壁の他方の開口部を塞ぐ下壁となる下壁部と、
前記側壁部から延在し、ポンプ容器を収容した状態で、先端縁が前記突出領域に係止する係止片とを備え、
前記係止片の、延在方向と直交する方向の長さ寸法が、側壁の前記方向での内側寸法と略同一であることを特徴とする包装用箱。
【請求項４】
前記ポンプ容器が、トリガータイプであることを特徴とする請求項１〜請求項３のいずれか１項に記載の包装用箱。
【発明の詳細な説明】
【技術分野】
【０００１】
本発明は、ポンプ容器を収容する包装用箱に関する。
【背景技術】
【０００２】
液体を噴出するポンプ容器は、液体が充填されるポンプ本体部と、ポンプ本体部の上端側から突出するステム部と、液体が噴出する噴出口と、ステム部にてポンプ本体部側へ押し込まれる押圧部とを備えている。使用者が押圧部をポンプ本体部側へ押し込むと、ポンプ本体部に充填された液体が噴出口から噴出する。
【０００３】
押圧部をポンプ本体部側へ押し込むタイプのポンプ容器は、不使用時に、押圧部に外部から負荷がかかることにより、液体が漏出することがある。これを防止するため、ステム部にストッパーやキャップ等を装着する方法がある（特許文献１）。このストッパーやキャップ等は、押圧部に対して負荷がかかった場合に、押圧部の押し込みを規制し、不使用時の液体の漏出を防止するものである。
【先行技術文献】
【特許文献】
【０００４】
【特許文献１】特開２０１０−１０５７３９号公報
【発明の概要】
【発明が解決しようとする課題】
【０００５】
しかしながら、ポンプ容器（特に、トリガータイプのポンプ容器）に、前記したようなストッパーやキャップ等の部品が装着されている場合、特に高齢者又は初めてポンプ容器を扱う使用者にとっては、部品を外しにくいという問題や、部品の存在に気づかないという問題が発生しやすい。また、ストッパーやキャップ等の部品が新たに必要となり、しかも、当該部品をポンプ容器の形態に合わせた設計にする必要があり、コスト高となる問題もある。さらには、部品を装着する工程が必要となるため、製造効率が劣るという問題もある。
【０００６】
そこで、本発明は斯かる実情に鑑み、部品点数や製造工程を減らして、コストダウンを図るとともに製造効率を高めることができ、使用時には簡単にポンプ容器の使用開始が可能な包装用箱を提供しようとするものである。
【課題を解決するための手段】
【０００７】
本発明の包装用箱は、内容物が充填されるポンプ本体部と、該ポンプ本体部の上端側から突出するステム部と、該ステム部でのポンプ本体部側への押し込みにより内容物を噴出する押圧部とを備え、この押圧部の少なくとも一部に、前記ステム部の外周面から径方向に突出し、前記押圧部の押し込みにより前記ポンプ本体部に対して接近又は離間する突出領域を有するポンプ容器を収容する包装用箱であって、前記ポンプ容器を包囲する側壁となる側壁部と、該側壁部から延在し、側壁の一方の開口部を塞ぐ上壁となる上壁部と、前記側壁部から延在し、側壁の他方の開口部を塞ぐ下壁となる下壁部と、前記側壁部から延在し、ポンプ容器を収容した状態で、先端縁が前記突出領域に係止する係止片とを備えたものである。ここで、側壁、上壁、下壁とは、組立て後の、箱として完成した状態における壁面を意味し、側壁部、上壁部、下壁部とは、組立ての前後にかかわらず、側壁、上壁、下壁を構成する板状部材を意味する。
【０００８】
本発明の包装用箱によれば、係止片は側壁部と一体的に設けられており、ポンプ容器を収容した状態において、係止片をポンプ容器の突出領域に係止させることができる。これにより、運搬時等に、ポンプ容器の押圧部に負荷がかかっても、係止片は、押圧部のポンプ本体部側への押し込みを規制することができ、不使用時に内容物が漏出してしまうことを防止できる。このように、本発明の包装用箱は、包装用箱自体が、押圧部の押し込みを規制する機能を有するものであるため、押圧部の押し込みを規制するためのストッパーやキャップ等の部品が不要となり、部品点数の削減及び製造工程の省略を図ることができる。さらに、ポンプ容器の使用時には、ポンプ容器を包装用箱から取り出すと、押圧部の押し込み規制状態が自動的に解除されるため、ポンプ容器を取り出すだけで、使用を開始することができる。このため、部品を外しにくい、又は部品の存在に気付かない等の理由によりポンプ容器の使用を開始できないという問題が生じない。しかも、係止片は、ポンプ容器の保持機能も有する。すなわち、ポンプ容器を収容した状態で、落下等により衝撃が加わった際に、部品は外れる可能性があるのに対し、本発明の包装用箱では、係止片が外れにくいものとなって、押圧部の押し込み規制状態を安定して維持することができる。
【０００９】
前記構成において、ポンプ容器を収容した状態で、前記係止片が、前記突出領域の突出側又は側方側のいずれかの方向から係止するようにしてもよい。ここで、突出領域の突出側とは、突出領域から突出方向に離間した方面である。突出領域の側方側とは、突出領域から突出方向と直交する方向に離間した方面であり、突出領域の側方側は、突出領域から相反する方向に２方面存在する。
【００１０】
前記構成とすることで、係止片は、突出領域に対して最短距離で係止するものとなり、ポンプ容器の収容時に、係止片の位置決めを行いやすく、収容しやすいものとなる。
【００１１】
前記側壁において、前記係止片の延在位置と、前記上壁部の延在位置とが対面するようにしてもよい。
【００１２】
前記構成とすることで、上壁部と係止片との間にフラップを設けることができるため、包装用箱の側方から埃等が入ることを防止することができ、ポンプ容器を良好な状態に維持することができる。また、包装用箱の方向性（前後）が分かり易いものとなって、トリガータイプのポンプ容器等、突出領域に方向性がある場合、直感的に収容方向が分かり易いものとなる。
【００１３】
前記構成において、前記係止片は、延在方向と直交する方向に延びる第一谷折り線、及び当該第一谷折り線よりも係止片の先端側に設けられた第二谷折り線を有し、第一谷折り線から係止片の先端縁までの長さ寸法が、第一谷折り線から係止片の基端縁までの長さ寸法よりも大きくすることができる。ここで、延在方向と直交する方向とは、延在方向と厳密に９０°をなすことを意味するのではなく、延在方向と９０°又はその近傍角度を有する方向を含む。
【００１４】
前記構成とすることで、第一谷折り線で係止片を折り曲げた際に、係止片の先端縁は、側壁の開口部よりも外方に位置する。これにより、側壁の外側で、係止片の先端縁をポンプ容器の突出領域に当接させることができる。また、ポンプ容器を収容する際には、第二谷折り線の屈曲により、係止片が係止した状態でポンプ容器をそのまま収容することができるため、ポンプ容器を収容しやすいものとなる。
【００１５】
前記構成において、前記係止片の、延在方向と直交する方向の長さ寸法が、側壁の前記方向での内側寸法と略同一とすることができる。ここで、延在方向と直交する方向とは、延在方向と厳密に９０°をなすことを意味するのではなく、延在方向と９０°又はその近傍角度を有する方向を含む。
【００１６】
前記構成とすることで、係止片は、側壁に支持されて動きが規制され、搬送中や携帯時に、係止片と突出領域との係止が解除されにくいものとなり、押圧部の押し込み規制状態を安定して維持することができる。
【００１７】
前記構成において、前記ポンプ容器をトリガータイプとすることができる。
【発明の効果】
【００１８】
本発明の包装用箱は、部品点数や製造工程を減らしてコストダウンを図るとともに製造効率を高めることができ、使用時には簡単にポンプ容器の使用開始が可能となる。
【図面の簡単な説明】
【００１９】
【図１】本発明の包装用箱の展開図である。
【図２】本発明の包装用箱にポンプ容器を収容する方法を示す斜視図又は一部破断斜視図であり、（ａ）は側壁及び下壁を形成した状態を示し、（ｂ）は係止片の第一谷折り線を折り曲げた状態を示し、（ｃ）はポンプ容器を収容する途中状態を示し、（ｄ）はポンプ容器が収容されて上壁を形成した状態を示す。
【図３】本発明の包装用箱にポンプ容器を収容する方法を示す断面図であり、（ａ）は側壁及び下壁を形成した状態を示し、（ｂ）は係止片の第一谷折り線を折り曲げた状態を示し、（ｃ）はポンプ容器を収容する途中状態を示し、（ｄ）はポンプ容器が収容されて上壁を形成した状態を示す。
【図４】本発明の包装用箱に収容されるポンプ容器の上端部を示す正面図である。
【図５】参考例の包装用箱の展開図である。
【図６】参考例の包装用箱に容器を収容する方法を示す斜視図又は一部破断斜視図であり、（ａ）は容器を収容する途中状態を示し、（ｂ）は容器を収容した状態を示す。
【発明を実施するための形態】
【００２０】
以下、本発明の実施の形態を図１〜図４に基づいて説明する。
【００２１】
本発明の包装用箱は、図４に示すようなポンプ容器５０を収容するためのものである。ポンプ容器５０は、図４に示すように、図示省略の内容物（液体）が充填されるポンプ本体部５１と、ポンプ本体部５１の上端側から突出するステム部５２と、液体が噴出する噴出口を有する噴出ノズル５３と、ステム部５２にてポンプ本体部５１側へ押し込まれる押圧部５４とを備えている。このようなポンプ容器５０は、押圧部５４が、ポンプ本体部５１側へ押し込まれることにより、ポンプ本体部５１に充填された液体を噴出する。
【００２２】
例えばトリガータイプのポンプ容器５０の押圧部５４は、図４（ａ）に示すように、把持レバー５５と押圧片５６とからなる。把持レバー５５を把持すると、押圧部５４は、回動中心５７を支点として図４（ａ）の矢印方向に回動し、押圧部５４をポンプ本体部５１側へ押し込むことができ、ポンプ本体部５１内の液体が噴出口から噴出する。
【００２３】
本発明の包装用箱に収容されるポンプ容器５０は、突出領域５８を有している。突出領域５８とは、押圧部５４の少なくとも一部に、ステム部５２の外周面から径方向に突出し、前記押圧部の押し込みによりポンプ本体部５１に対して接近又は離間する領域をいう。図４（ａ）に示すトリガータイプのポンプ容器５０の突出領域５８は、押圧部５４のうち、把持レバー５５が設けられる方向において、ステム部５２よりも外径方向に突出する部分（すなわち、当該方向における押圧片５６及び把持レバー５５）である。
【００２４】
また、別のポンプ容器として、図４（ｂ）のように、押圧部５４に噴出ノズル５３が一体的に設けられたポンプ容器５０がある。すなわち、押圧部５４は、ステム部５２に沿って延びる軸部５９と、軸部５９の上端から、軸部５９の径方向に延びる噴出ノズル５３とから構成されている。このようなポンプ容器５０は、２つの突出領域６０、６１を有している。すなわち、一方の突出領域６０は、噴出ノズル５３の根元部から先端部までの領域であり、他方の突出領域６１は、軸部５９のうち、ステム部５２よりも外周側の領域である。
【００２５】
前記したようなポンプ容器５０を収容する本発明の包装用箱は、組立て後の箱として完成した状態では、図２（ｄ）に示すように、ポンプ容器５０を包囲する側壁１と、側壁１の一方の開口部を塞ぐ上壁２と、側壁１の他方の開口部を塞ぐ下壁３と、ポンプ容器５０の突出領域５８に係止する係止片４とを備える。上壁２、下壁３は、組立てた状態において必ずしも上方、下方に位置するものではなく、側壁１の一方の開口部と他方の開口部とを塞ぐ壁面であり、例えば、上壁２や下壁３が、搬送中等に図２（ｄ）の側壁１に相当する位置となっていたり、上壁２と下壁３との上下が逆の位置となっていたりしてもよい。包装用箱は、上壁２と下壁３とが正方形をなし、側壁１は、正面１ａ、背面１ｂ、第一の側面１ｃ、及び第二の側面１ｄの夫々が上下方向に長辺を有する略同一の長方形から構成された六面体となっている。
【００２６】
前記本発明の包装用箱を展開した状態は、図１に示すように、側壁１となる側壁部１１と、側壁部１１から延在し、上壁２となる上壁部１２と、側壁部１１から延在し、下壁３となる下壁部１３と、側壁部１１から延在する係止片４とを備える。側壁部１１、上壁部１２、下壁部１３、及び係止片４は、１枚の厚紙を図１の形状に成形することにより構成されている。ここで、側壁１、上壁２、下壁３は、組立て後の、箱として完成した状態における壁面を意味し、側壁部１１、上壁部１２、下壁部１３は、組立ての前後にかかわらず、側壁１、上壁２、下壁３を構成する板状部材を意味する。また、本発明の包装用箱は、図２（ｄ）のような組立て後の完成状態と、図１のような組立て前の展開状態との両方の状態を含む。
【００２７】
側壁部１１には、互いに平行に延びる４つの折曲線１４ａ、１４ｂ、１４ｃ、１４ｄが設けられている。これらの折曲線１４ａ、１４ｂ、１４ｃ、１４ｄにて、側壁部１１が、正面１ａとなる正面部１１ａと、背面１ｂとなる背面部１１ｂと、第一の側面１ｃとなる第一側面部１１ｃと、第二の側面１ｄとなる第二側面部１１ｄと、接着部（いわゆる糊代）１１ｅとの５つの領域に区画されている。接着部１１ｅに接着剤が塗布されて、接着部１１ｅと第二側面部１１ｄの端部とを重ね合わせることにより、側壁部１１はポンプ容器５０を包囲する側壁１となる。また、正面部１１ａには、側壁部１１の端縁とで閉形状をなすミシン目１５が設けられている。
【００２８】
上壁部１２は、側壁部１１のうち、側壁１の一方の開口部（以下、上端側開口部という）となる側から延在し、本実施形態では背面部１１ｂから延在する。上壁部１２は、延在方向と直交する方向の長さ寸法が、正面部１１ａ、背面部１１ｂ、第一側面部１１ｃ、及び第二側面部１１ｄそれぞれの幅方向（図１における横方向）の長さ寸法と略同一の長さ寸法となっている。上壁部１２は、延在方向と直交する方向に折曲線１６が設けられており、上壁部１２の基端縁から折曲線１６までが、側壁１の上端側開口部を塞ぐ上壁面部１２ａとなり、上壁部１２の折曲線１６から先端縁までが、正面１ａに差し込まれる差込片（タック）１２ｂとなる。
【００２９】
下壁部１３は、側壁部１１のうち、側壁１の他方の開口部（以下、下端側開口部という）となる側から延在する。下壁部１３は、正面部１１ａ、背面部１１ｂ、第一側面部１１ｃ、及び第二側面部１１ｄから夫々延在する第１片１３ａと、第２片１３ｂと、第３片１３ｃと、第４片１３ｄとからなり、これらが順に重なり合うことにより、側壁１の下端側開口部を塞ぐ下壁３となる。
【００３０】
係止片４は、側壁部１１のうち、上壁部１２の延在側と同じ側（つまり、側壁１の上端側開口部となる側）から延在し、本実施形態では、前面部１１ａから延在する。係止片４は、延在方向と直交する方向の長さ寸法が、正面部１１ａ、背面部１１ｂ、第一側面部１１ｃ、及び第二側面部１１ｄそれぞれの幅方向（図１における横方向）の長さ寸法と略同一の長さ寸法となっており、後述するように、ポンプ容器５０を収容した状態で、先端縁が突出領域５８に係止する。
【００３１】
係止片４は、延在方向と直交する方向に延びる第一谷折り線１７、及び当該第一谷折り線１７よりも係止片４の先端側に設けられた第二谷折り線１８を有する。そして、第一谷折り線１７から係止片４の先端縁までの長さ寸法Ｈ１が、第一谷折り線１７から係止片４の基端縁までの長さ寸法Ｈ２よりも大きいものとなっている。
【００３２】
また、係止片４の基端側には穴部１９が設けられており、穴部１９の端縁の一部が、係止片４の基端縁に沿っている。この穴部１９は、係止片４を基端縁に沿って折り曲げた状態で、ミシン目１５の位置に対応する。
【００３３】
側壁部１１のうち、側壁１の上端側開口部となる側において、第一側面部１１ｃ及び第二側面部１１ｄから、夫々小片２０ａ、２０ｂが延在する。これら小片２０ａ、２０ｂは、組立て状態において、側壁１の上端側開口部の一部を塞ぐフラップ２１ａ、２１ｂ（図２（ｄ）参照）となる。
【００３４】
次に、包装用箱を組立ててポンプ容器５０を収容する方法について説明する。本発明の包装用箱に収容されるポンプ容器５０の一例として、トリガータイプのポンプ容器５０を収容する場合について説明する。まず、図１の展開状態において、接続部１１ｅに接着剤を塗布し、接続部１１ｅと第二側面部１１ｄの端部とを重ね合わせる。これにより、側壁部１１は、図２（ａ）及び図３（ａ）に示すように、閉空間を形成する側壁１となる。それと同時に、下壁部１３の第１片１３ａと、第２片１３ｂと、第３片１３ｃと、第４片１３ｄとが順に重なり合い、図２（ａ）に示すように、側壁１の下端側開口部を塞ぐ下壁３となる。
【００３５】
係止片４は、図２（ａ）及び図３（ａ）に示すように、側壁１の正面１ａから延在し、上壁部１２は、側壁１の背面１ｂから延在する。すなわち、側壁１において、係止片４が延在する位置と、上壁部１２が延在する位置とが対面している。これにより、上壁部１２と係止片４との間にフラップ２１ａ、２１ｂとなる小片２０ａ、２０ｂを設けることができるため、包装用箱の側方から埃等が入ることを防止することができ、ポンプ容器５０を良好な状態に維持することができる。また、包装用箱の方向性（前後）が分かり易いものとなって、トリガータイプのポンプ容器５０等、突出領域５８に方向性がある場合、直感的に収容方向が分かり易いものとなる。
【００３６】
その後、図２（ｂ）及び図３（ｂ）に示すように、係止片４を基端縁２５に沿って山折りし、係止片４を側壁１の内側へ折りこむ。さらに、係止片４を第一谷折り線１７に沿って谷折りする。このとき、第一谷折り線１７から係止片４の先端縁までの長さ寸法Ｈ１が、第一谷折り線１７から係止片４の基端縁２５までの長さ寸法Ｈ２よりも大きいため、第一谷折り線１７で係止片４を折り曲げた際に、係止片４の先端縁は、側壁１の上端側開口部よりも上方に位置する。
【００３７】
この状態で、図２（ｃ）及び図３（ｃ）に示すように、側壁１の外側で、係止片４の先端縁をポンプ容器５０の突出領域５８に当接させることができる。この場合、突出領域５８のうち、ステム部５２の近傍にて係止片４を係合させるのが好ましく、ステム部５２から把持レバー５５までの間で係止片４を係合させるのが好ましい。また、ポンプ容器５０を収容する際には、第二谷折り線１８の屈曲により、係止片４が係止した状態でポンプ容器５０をそのまま収容することができるため、ポンプ容器５０を収容しやすいものとなる。
【００３８】
その後、上壁部１２の差込片（タック）１２ｂを正面１ａに当接させて、上壁部１２は、図２（ｄ）及び図３（ｄ）に示すように、上端側開口部を閉蓋する上壁２となる。さらに、図２（ｄ）に示すように、ミシン目１５で囲まれた領域から上壁２にかけて、接着テープ２６を貼付する。これにより、上壁２と正面１ａとを固定することができ、ポンプ容器５０のバージン性を担保することができる。
【００３９】
このように、本発明の包装用箱は、係止片４が側壁部１１と一体的に設けられており、ポンプ容器５０を収容した状態において、係止片４をポンプ容器５０の突出領域５８に係止させることができる。これにより、運搬時等に、ポンプ容器５０の押圧部５４に負荷がかかっても、係止片４は、押圧部５４のポンプ本体部５０側への押し込みを規制することができ、不使用時に内容物が漏出してしまうことを防止できる。このように、本発明の包装用箱は、包装用箱自体が、押圧部５４の押し込みを規制する機能を有するものであるため、押圧部５４の押し込みを規制するためのストッパーやキャップ等の部品が不要となり、部品点数の削減及び製造工程の省略を図ることができる。しかも、係止片４は、ポンプ容器５０の保持機能も有する。すなわち、ポンプ容器５０を収容した状態で、落下等により衝撃が加わった際に、部品は外れる可能性があるのに対し、本発明の包装用箱では、係止片４が外れにくいものとなって、押圧部５４の押し込み規制状態を安定して維持することができる。
【００４０】
ポンプ容器５０を収容した状態では、図２（ｄ）及び図３（ｄ）に示すように、係止片４が、突出領域５８の突出側から係止している。ここで、突出領域５８の突出側とは、突出領域５８から突出方向に離間した方面である。これにより、係止片４は、突出領域５８に対して最短距離で係止するものとなり、ポンプ容器５０の収容時に、係止片４の位置決めを行いやすく、収容しやすいものとなる。
【００４１】
また、係止片４の、延在方向と直交する方向の長さ寸法が、側壁１の前記方向での内側寸法と略同一としているため、係止片４は、側壁１に支持されて動きが規制され、搬送中や携帯時に、係止片４と突出領域５８との係止が解除されにくいものとなり、押圧部５４の押し込み規制状態を安定して維持することができる。
【００４２】
包装用箱に収容されたポンプ容器５０を使用する際には、ミシン目１５で囲まれた領域を押圧することにより、ミシン目１５を切断し、当該領域を開口させる。このとき、ミシン目１５には、係止片４の穴部１９が対応しているため、ミシン目１５を切断する際の押圧が規制されない。このようにして、接着テープ２６が貼付されていても、接着テープ２６を剥がすことなく上壁２と正面１ａとの固定を解除することができる。
【００４３】
ポンプ容器５０を包装用箱から取り出すと、押圧部５４の押し込み規制状態が自動的に解除されるため、ポンプ容器５０を取り出すだけで使用を開始することができる。このため、本発明の包装用箱は、部品を外しにくい、又は部品の存在に気付かない等の理由によりポンプ容器５０の使用を開始できないという問題が生じない。
【００４４】
以上、本発明の実施形態につき説明したが、本発明は前記実施形態に限定されることなく種々の変形が可能であって、例えば、組立てた包装用箱の形状は種々のものとできる。すなわち、包装用箱の上壁部１２及び下壁部１３の形状は、円形、楕円形、三角形以上の多角形、星形、規則性を有さない形状等種々のものとすることができ、さらに、上壁部１２と下壁部１３とで形状が異なっていてもよい。上壁部１２、下壁部１３、及び係止片４は、側壁部１１の正面部１１ａ、背面部１１ｂ、第一側面部１１ｃ、及び第二側面部１１ｄのいずれに延在していてもよく、例えば、上壁部１２を正面部１１ａや第一側面部１１ｃに設ける等、いずれの面から延在していてもよい。
【００４５】
図４（ｂ）のように、突出領域６０、６１を複数有するポンプ容器５０を収容する場合は、いずれかの突出領域６０、６１に係止片４を係合させればよい。フラップ２１ａ、２１ｂを構成する小片２０ａ、２０ｂや差込片１２ｂは省略することもでき、下壁部１３の構成は、上壁部１２と同様の構成であってもよい。接着部１１ｅは、第二側面部１１ｄ側に設けてもよい。
【００４６】
前記実施形態では、ポンプ容器５０を収容した状態で、係止片４が、突出領域５８の突出側から係止する構成としたが、係止片４が、第一側面部１１ｃや第二側面部１１ｄから延在し、突出領域５８の側方側から係止する構成としてもよい。ここで、突出領域５８の側方側とは、突出領域５８から突出方向と直交する方向に離間した方面であり、突出領域５８の側方側は、突出領域５８から相反する方向に２方面存在する。この場合も、係止片４は、突出領域５８に対して最短距離で係止するものとなり、ポンプ容器５０の収容時に、係止片４の位置決めを行いやすく、収容しやすいものとなる。ただし、運搬時等の振動や落下等により衝撃が加わった際に、係止片４と突出領域５８との係止が外れにくいという観点から、係止片４が、突出領域５８の突出側から係止する構成が好ましい。
【００４７】
前記実施形態では、係止片４は、側壁部１１の端縁から延在するものであったが、他の位置から延在させてもよい。例えば、正面部１１ａや側面部１１ｃ、１１ｄに、略コの字状の切り込みを設けると、切込片を形成することができ、この切込片を係止片４とすることができる。また、接着部１１ｅの一部を延長し、この延長部分に接着剤を塗布しなければ、接着部１１ｅから延長片が延在する。この延長片を係止片４とすることができる。ただし、運搬時等の振動や落下等により衝撃が加わった際に、係止片４と突出領域５８との係止が外れにくいという観点から、係止片４は、側壁部１１の端縁から延在することが好ましい。
【００４８】
係止片４の形状は前記実施形態のものに限られず、側壁１にて形成される形状に応じた形状とするのが好ましい。また、係止片４の先端部を凹形状として、係止片４が、突出領域５８を周方向から包囲するように係止させるような構成としてもよい。前記実施形態では、連続した１枚の厚紙から側壁部１１と係止片４とが構成されていたが、側壁部１１を構成する厚紙と、係止片４を構成する厚紙とを接着剤等にて接着して係止片４を形成してもよい。ただし、係止片４が剥がれてしまうことがなく、且つ厚紙の成形の効率を高めるという観点から、側壁部１１を構成する厚紙と、係止片４を構成する厚紙とは、連続した１枚の厚紙から構成されることが好ましい。
【００４９】
次に、包装用箱の参考例について、図５及び図６を用いて説明する。参考例の包装用箱は、有体物（例えば蓋部材にて開閉可能な容器）を収容する包装用箱であって、前記有体物を包囲する側壁となる側壁部と、該側壁部から延在し、側壁の一方の開口部を塞ぐ上壁となる上壁部と、前記側壁部から延在し、側壁の他方の開口部を塞ぐ下壁となる下壁部と、前記側壁部から延在する係止片とを備え、該係止片の基端縁側に穴部を設け、前記係止片を基端縁に沿って折り曲げた状態で、前記穴部に対応する側壁部の位置に、前記基端縁とで閉形状をなすミシン目を設けたものである。
【００５０】
すなわち、参考例の包装用箱は、図６に示すような有体物（本参考例では容器１５０を例示する）を収容するものである。参考例の包装用箱は、組立てた後に箱として完成した状態では、図６（ｂ）に示すように、容器１５０を包囲する側壁１０１と、側壁１０１の一方の開口部（上端側開口部）を塞ぐ上壁１０２と、側壁１０１の他方の開口部（下端側開口部）を塞ぐ下壁１０３と、係止片１０４とを備える。包装用箱は、上壁１０２と下壁１０３とが正方形をなし、側壁１０１は、正面１０１ａ、背面１０１ｂ、第一の側面１０１ｃ、及び第二の側面１０１ｄの夫々が上下方向に長辺を有する略同一の長方形から構成された六面体となっている。
【００５１】
参考例の包装用箱を展開した状態は、図５に示すように、側壁１０１となる側壁部１１１と、側壁部１１１から延在し、上壁１０２となる上壁部１１２と、側壁部１１１から延在し、下壁１０３となる下壁部１１３と、係止片１０４とを備える。側壁部１１１、上壁部１１２、下壁部１１３、及び係止片１０４は、１枚の厚紙を図５の形状に成形することにより構成されている。この参考例も、側壁１０１、上壁１０２、下壁１０３は、組立て後に、箱として完成した状態の壁面を意味し、側壁部１１１、上壁部１１２、下壁部１１３は、組立ての前後にかかわらず、側壁１０１、上壁１０２、下壁１０３を構成する板状部材を意味する。また、参考例の包装用箱は、図６（ｂ）のような組立てた後の完成状態と、図５のような組立てる前の展開状態との両方の状態を含む。
【００５２】
側壁部１１１には、前記実施形態と同様に、互いに平行に延びる４つの折曲線１１４ａ、１１４ｂ、１１４ｃ、１１４ｄが設けられ、側壁部１１１が、正面１０１ａとなる正面部１１１ａと、背面１０１ｂとなる背面部１１１ｂと、第一の側面１０１ｃとなる第一側面部１１１ｃと、第二の側面１０１ｄとなる第二側面部１１１ｄと、接着部（いわゆる糊代）１１１ｅとの５つの領域に区画されている。また、正面部１１１ａには、側壁部１１１の端縁とで閉形状をなすミシン目１１５が設けられている。
【００５３】
上壁部１１２は、前記実施形態と同様の形態を採用しており、上壁部１１２が設けられる位置も前記実施形態と同様である。上壁部１１２には、折曲線１１６が設けられており、上壁面部１１２ａと差込片（タック）１１２ｂとが形成されている。
【００５４】
下壁部１１３は、前記実施形態と同様の形態を採用しており、下壁部１１３が設けられる位置も前記実施形態と同様である。下壁部１１３は、第１片１１３ａと、第２片１１３ｂと、第３片１１３ｃと、第４片１１３ｄとからなる。
【００５５】
本参考例でも、前記実施形態と同様の位置に、小片１２０ａ、１２０ｂが延在する。これら小片１２０ａ、１２０ｂは、組立て状態において、側壁１の上端開口部の一部を塞ぐフラップ１２１ａ、１２１ｂ（図６（ｂ）参照）となる。
【００５６】
係止片１０４は、側壁部１１１のうち、上壁部１１２の延在側と同じ側（つまり、側壁１０１の上端側開口部となる側）から延在し、本参考例では、正面部１１１ａから延在する。係止片１０４は、延在方向と直交する方向の長さ寸法が、正面部１１１ａ、背面部１１１ｂ、第一側面部１１１ｃ、及び第二側面部１１１ｄそれぞれの幅方向（図５における横方向）の長さ寸法と略同一の長さ寸法となっている。
【００５７】
係止片１０４は、延在方向と直交する方向に延びる第一谷折り線１１７、当該第一谷折り線１１７と平行に延びる第二谷折り線１１８、及び第二谷折り線１１８よりも係止片４の先端側に設けられた第三谷折り線１２２を有する。第二谷折り線１１８から第三谷折り線１２２までの長さ寸法は、正面１０１ａから背面１０１ｂまでの長さ寸法と略同一となっている。
【００５８】
また、係止片１０４の基端側には穴部１１９が設けられており、穴部１１９の端縁の一部が、係止片１０４の基端縁に沿っている。この穴部１１９は、係止片１０４を基端縁に沿って折り曲げた状態で、ミシン目１１５の位置に対応する。また、第二谷折り線１１８から第三谷折り線１２２までの間に、支持用穴部１２３が設けられている。この支持用穴部１２３は、図６に示すように、容器１５０を挿通させて容器１５０を支持する。このように、参考例の係止片１０４は、包装用箱内において収容された容器１５０を支持し、容器１５０の包装用箱内での動きを規制する。
【００５９】
前記構成を備えた参考例の包装用箱を組立てた状態では、図６（ｂ）に示すように、ミシン目１１５で囲まれた領域から上壁１０２にかけて、接着テープ１２６を貼付する。これにより、上壁１０２と正面１０１ａとを固定することができ、ポンプ容器１５０のバージン性を担保することができる。
【００６０】
前記構成とすることで、参考例の包装用箱では、係止片１０４を基端縁に沿って折り曲げた状態としたときに、ミシン目１１５は穴部１１９に対応する。これにより、包装用箱に収容された容器１５０を使用する際には、ミシン目１１５で囲まれた領域を押圧することにより、ミシン目１１５を切断し、当該領域を開口させる。このとき、ミシン目１１５には、係止片１０４の穴部１１９が対応しているため、ミシン目１１５を切断する際には押圧が規制されない。このようにして、接着テープ１２６が貼付されていても、接着テープ１２６を剥がすことなく上壁１０２と正面１０１ａとの固定を解除することができ、簡単に、容器１５０の使用を開始することができる。
【００６１】
本参考例において、係止片１０４は支持用穴部１２３を有さないものであってもよく、係止片１０４の機能は、包装用箱内での空間を仕切るためのものや、有体物の緩衝機能を有するものである等、種々の機能を有するものであってよい。また、本参考例の包装用箱に収容される有体物は容器に限らず、種々のものとすることができる。
【符号の説明】
【００６２】
１     側壁
２     上壁
３     下壁
４     係止片
１１   側壁部
１２   上壁部
１３   下壁部
１７   第一谷折り線
１８   第二谷折り線
５０   ポンプ容器
５１   ポンプ本体部
５２   ステム部
５４   押圧部
５８   突出領域
【図１】
0006534521.tif 000002
【図２】
0006534521.tif 000003
【図３】
0006534521.tif 000004
【図４】
0006534521.tif 000005
【図５】
0006534521.tif 000006
【図６】
0006534521.tif 000007